(57)【要約】【課題】授乳時に衣服の裏側地に取付けて使用することにより、従来と同様に授乳時に授乳口を容易に確保できるとともに、当該授乳用ストラップを衣服に取付けた際に見栄えのよいストラップ付衣服を提供すること。【解決手段】長尺の弾性部材と、該弾性部材の両端にそれぞれ設けられた衣服へ取付けるための取付部とを有する授乳用ストラップ、該授乳用ストラップと対応する衣服ならびに上記授乳用ストラップと上記衣服とを有するストラップ付衣服である。【選択図】図１
2012143403.tif 000002
【特許請求の範囲】
【請求項１】
長尺の弾性部材と、該弾性部材の両端にそれぞれ設けられ、衣服の裏側地へ取付けるための取付部とを有する授乳用ストラップ。
【請求項２】
裏側地に請求項１記載の授乳用ストラップの前記取付部と対応する被取付部が設けられてなる衣服。
【請求項３】
授乳用ストラップと、該授乳用ストラップが裏側地に設けられた衣服とを有するストラップ付衣服であり、
前記授乳用ストラップが、長尺の弾性部材と、該弾性部材の両端にそれぞれ設けられた取付部とを有し、
前記衣服の裏側地に、前記取付部と対応する被取付部が設けられてなるストラップ付衣服。
【請求項４】
前記取付部が、前記被取付部に固着されてなる請求項３記載のストラップ付衣服。
【請求項５】
前記取付部が、前記被取付部と着脱式に取付けられてなる請求項３記載のストラップ付衣服。
【請求項６】
前記被取付部が、衣服の両肩部、両横腹部または前腹部のいずれかの部位に対応する裏側地に設けられてなる請求項３〜５のいずれか１項に記載のストラップ付衣服。
【発明の詳細な説明】
【技術分野】
【０００１】
本発明は、授乳用ストラップ、該授乳用ストラップと対応する衣服ならびに上記授乳用ストラップと衣服とを有するストラップ付衣服に関する。さらに詳しくは、授乳時に衣服と一体的に使用することにより授乳口を容易に確保できる授乳用ストラップ、該授乳用ストラップと対応する衣服ならびに上記授乳用ストラップと上記衣服とを有するストラップ付衣服に関する。
【背景技術】
【０００２】
従来、赤ちゃんに授乳する際などに、授乳口を確保するために片手で衣服をたくしあげ、もう片方の手（腕）で赤ちゃんを抱えて授乳する方法が採られている。
【０００３】
しかしながら、かかる方法では、片腕で赤ちゃんを支えなければならず、片腕にかかる負担が大きいという問題がある。また、片腕で赤ちゃんを支えることは、両腕で支える場合に比べて安定性が悪く、赤ちゃんにとって危険である。一方、授乳開始時に片腕で衣服をたくしあげて授乳口を確保したのちに、両腕で赤ちゃんを支えて授乳を開始したとしても、たくしあげた衣服が赤ちゃんの顔などにかかる場合があり、不都合である。
【０００４】
かかる問題を解決するために、特許文献１に記載の授乳用着衣固定具（以下、授乳用ストラップという）が知られている。図１２は、従来の授乳用ストラップ１０を首にかけた状態の説明図である。図１３は、従来の授乳用ストラップ１０を使用して授乳する前の状態を説明する説明図である。図１４は、従来の授乳用ストラップ１０を使用して授乳している状態を説明する説明図である。図１２および図１３に示されるように、当該授乳用ストラップ１０によれば、使用者は、当該授乳用ストラップ１０を首にかけ、着衣の下に吊し、必要に応じて着衣をたくしあげて衣服の授乳口を固定することができる。そのため、両手で赤ちゃんを支えながら授乳口を確保することができる。
【０００５】
ここで、一般に、赤ちゃんを連れて外出する際、授乳の度に当該授乳用ストラップ１０を首からかけて使用することは利便性が悪いため、当該授乳用ストラップ１０は、常に首にかけられた状態にあると考えられる。その場合において、当該授乳用ストラップ１０は外観上見えやすい位置にあるため、特許文献１のような外観の授乳用ストラップ１０は、単なるひもを首にかけている印象を与え、ファッション性に乏しいという問題がある。
【先行技術文献】
【特許文献】
【０００６】
【特許文献１】特開２００９−４１１２９号公報
【発明の概要】
【発明が解決しようとする課題】
【０００７】
そこで、本発明は、授乳時に衣服の裏側地に取付けて使用することにより、従来と同様に授乳時に授乳口を容易に確保できるとともに、当該授乳用ストラップを衣服に取付けた際に見栄えのよいストラップ付衣服を提供することを目的とする。
【課題を解決するための手段】
【０００８】
本発明の授乳用ストラップは、長尺の弾性部材と、該弾性部材の両端にそれぞれ設けられ、衣服の裏側地へ取付けるための取付部とを有する。本発明の授乳用ストラップは、当該構成を有しているため、それぞれの取付部で衣服の裏側地に取付けることにより、衣服の裏側に垂らした輪の部分の下側を把持して、たくしあげるように授乳用ストラップをあげ、首を通すことができる。これにより、従来と同様に授乳時に授乳口を容易に確保することできる。また、上記のとおり上記授乳用ストラップは衣服の裏側地に取付けられるため、外観上目立たず、見栄えを損なうことがない。
【０００９】
また、本発明の衣服は、裏側地に上記授乳用ストラップの前記取付部と対応する被取付部が設けられてなる。本発明の衣服は、当該構成を有しているため、上記授乳用ストラップを取付けることができる。また、取付けた状態において、外観上目立たず、見栄えを損なうことがない。
【００１０】
また、本発明のストラップ付衣服は、授乳用ストラップと、該授乳用ストラップが裏側地に設けられた衣服とを有するストラップ付衣服であり、前記授乳用ストラップが、長尺の弾性部材と、該弾性部材の両端にそれぞれ設けられた取付部とを有し、前記衣服の裏側地に、前記取付部と対応する被取付部が設けられてなる。
【００１１】
前記取付部が、前記被取付部に固着されてなるか、前記被取付部と着脱式に取付けられてなることが好ましい。固着されてなる場合には、衣服と一体的に形成されているため紛失することがない。また、不要になれば切断等により除去することも可能である。一方、着脱式に取付けられてなる場合には、上記のとおり、授乳期を過ぎ、授乳の必要がなくなった際には取り外して通常の衣服として使用することができる。また、消耗した場合に交換することもできる。
【００１２】
前記被取付部が、衣服の両肩部、両横腹部または前腹部のいずれかの部位に対応する裏側地に設けられてなることが好ましい。かかる構成を有することにより、種々の衣服の形状に合わせて授乳用ストラップを取付けることができる。
【発明の効果】
【００１３】
本発明によれば、授乳時に衣服の裏側地に取付けて使用することにより、従来と同様に授乳時に授乳口を容易に確保できる授乳用ストラップを提供することができる。また、当該授乳用ストラップを衣服に取付けた際に見栄えのよいストラップ付衣服を提供することができる。また、衣服においては、授乳期を過ぎ、授乳の必要がなくなった後は通常の衣服として使用することができる。
【図面の簡単な説明】
【００１４】
【図１】本発明の授乳用ストラップの一実施形態（実施の形態１）にかかる授乳用ストラップの正面図
【図２】本発明の授乳用ストラップの一実施形態（実施の形態１）にかかる授乳用ストラップの取付部の説明図
【図３】本発明の衣服の一実施形態（実施の形態２）にかかる衣服を裏返した状態の説明図
【図４】本発明の衣服の一実施形態（実施の形態２）にかかる衣服の裏側地に設けられた被取付部の拡大図
【図５】本発明のストラップ付衣服の一実施形態（実施の形態３）にかかるストラップ付衣服を裏返した状態の説明図
【図６】本発明のストラップ付衣服の一実施形態（実施の形態３）にかかるストラップ付衣服の被取付部に取付部が取り付けられた状態の説明図
【図７】本発明のストラップ付衣服の一実施形態（実施の形態４）にかかるストラップ付衣服の説明図
【図８】本発明のストラップ付衣服の使用方法を説明するための説明図
【図９】本発明のストラップ付衣服の使用方法を説明するための説明図
【図１０】本発明のストラップ付衣服の使用方法を説明するための説明図
【図１１】本発明のストラップ付衣服の使用方法を説明するための説明図
【図１２】従来の授乳用ストラップを首にかけた状態の説明図
【図１３】従来の授乳用ストラップを使用して授乳する前の状態を説明する説明図
【図１４】従来の授乳用ストラップを使用して授乳している状態を説明する説明図
【発明を実施するための形態】
【００１５】
（実施の形態１）
＜授乳用ストラップ＞
本実施の形態にかかる授乳用ストラップ１は、図１および図２に示される。図１は、本実施の形態にかかる授乳用ストラップ１の正面図である。図２は、本実施の形態にかかる授乳用ストラップ１の取付部２の説明図である。図１に示されるように、本実施の形態にかかる授乳用ストラップ１は、長尺の弾性部材３と、該弾性部材３の両端にそれぞれ設けられ、衣服（たとえば後述する実施の形態２にかかる図３に示される衣服４）の裏側地へ取付けるための取付部２とを有する。
【００１６】
弾性部材３は、その両端部に当該弾性部材３を衣服に取付けるための取付部２がそれぞれ設けられてなる。弾性部材３を構成する材料としては、弾性を有する材料であれば特に限定されない。たとえばコールゴム、織りゴム、編みゴム、ゴムテープ、ゴムチューブ、ゴムロープ、レースゴムなどの弾性を有する比較的扁平なひもを使用することができる。また、模様も特に限定されず、無地、ストライプ、チェック、水玉、花柄プリント、その他プリント柄等の模様を自由に採用することができる。図１では、弾性部材３の一例として無地のレースゴムからなる弾性部材３を示している。弾性部材３の長さは特に限定されず、一般女性の体の大きさに適切な長さであればよい。たとえば６０ｃｍ〜８０ｃｍ程度であれば衣服から飛び出さない範囲の長さであり好ましい。また、弾性部材３の幅も特に制限されないが、あまりに幅が狭いと弾性部材２の強度が弱く破損するおそれがあるため、たとえば０．５ｃｍ〜２ｃｍ程度が好ましい。
【００１７】
取付部２は、衣服に弾性部材３を取付けるための部位である。衣服に取付けることができる部材であれば特に限定されず、たとえば弾性部材３の両端部に安全ピンを取付けておいてもよい。また、後述する実施の形態２にかかる図３に示される衣服４の裏側地に、当該取付部２と対応する被取付部５を設ける場合には、被取付部５の形状に合わせて取付部２を作成してもよい。取付部２と被取付部５の組み合わせとしては、ボタンとボタン孔、フックなどの係合部と該係合部と係合する被係合部（たとえばフックが掛けられる様な輪）、磁石、面ファスナー（フックとループ）などが挙げられ、従来公知のすべての係合機構を採用することができる。本実施の形態では、ボタンが設けられている。
【００１８】
本実施の形態にかかる授乳用ストラップ１によれば、それぞれの取付部２で衣服の裏側地に取付けることにより、衣服の裏側に垂らした輪の部分の下側を把持して、たくしあげるように授乳用ストラップ１をあげ、首を通すことができる。これにより、従来と同様に授乳時に授乳口を容易に確保することできる。また、上記のとおり上記授乳用ストラップ１は衣服の裏側地に取付けられるため、外観上目立たず、見栄えを損なうことがない。
【００１９】
（実施の形態２）
＜衣服＞
本実施の形態にかかる衣服４は、図３に示される。図３は、本実施の形態にかかる衣服４を裏返した状態の説明図である。図３に示されるように、本実施の形態にかかる衣服４は、裏側地に実施の形態１にかかる授乳用ストラップ１の取付部２と対応する被取付部５が設けられてなる。
【００２０】
被取付部５の形状としては、上述したとおり、図１に示される授乳用ストラップ１の取付部２と対応する形状のものを採用することができる。本実施の形態では、上記取付部２としてボタンを採用した場合に合わせて、輪状の孔が形成されている。
【００２１】
当該輪状の孔は、図４に示される。図４は、本実施の形態にかかる衣服４の裏側地に設けられた被取付部５としての輪状の孔の拡大図である。
【００２２】
本実施の形態にかかる衣服４によれば、上記授乳用ストラップ１を取付けることができる。また、取付けた状態において、外観上目立たず、見栄えを損なうことがない。また、着脱自在であるため不要時に上記授乳用ストラップ１を取り外しておくことができ、授乳期を過ぎ、授乳の必要がなくなった後でも通常の衣服４として使用することができる。
また、言いかえれば、通常の衣服４の裏側地に上記被取付部５を設けることにより、実施の形態１にかかる授乳用ストラップ１を使用することができる。そのため、授乳用ストラップ１のみを購入し、種々の衣服４に被取付部５を各自で設けてもよい。そして、上記したとおり、授乳期を過ぎ、授乳の必要がなくなった後には通常の衣服４として使用すればよい。
【００２３】
（実施の形態３）
＜ストラップ付衣服＞
本実施の形態にかかるストラップ付衣服６は、図５に示される。図５は、本実施の形態にかかるストラップ付衣服６を裏返した状態の説明図である。図５に示されるように、本実施の形態にかかるストラップ付衣服６は、授乳用ストラップ１と、該授乳用ストラップ１が裏側地に設けられた衣服４とを有するストラップ付衣服６である。
授乳用ストラップ１としては、実施の形態１で説明した授乳用ストラップ１を使用することができるため、同じ参照符号を付して説明を省略する。また、上記衣服４としては、実施の形態２で説明した衣服４を使用することができるため、同じ参照符号を付して説明を省略する。
【００２４】
ここで、取付部２と被取付部（図示せず）とは、固着されていてもよく、着脱式に取付けられていてもよい。
【００２５】
すなわち、固着されてなる場合には、衣服４と一体的に形成されているため紛失することがない。また、不要になれば切断等により除去することも可能である。
【００２６】
一方、着脱式に取付けられてなる場合には、上述のとおり、授乳期を過ぎ、授乳の必要がなくなった際には取り外して通常の衣服として使用することができる。また、消耗した場合に交換することもできる。
【００２７】
着脱式に設けられてなる場合を図６に示す。図６は、本実施の形態にかかるストラップ付衣服６の被取付部に取付部２が取付けられた状態の説明図である。図６では、取付部２としてボタンを設け、被取付部として輪状の孔（図示せず）を設けた場合を例示している。
【００２８】
（実施の形態４）
＜ストラップ付衣服＞
本実施の形態にかかるストラップ付衣服７は、図７に示される。図７は、実施の形態３にかかるストラップ付衣服６の変形例を示している。図７に示されるように、本実施の形態にかかるストラップ付衣服７は、衣服４の被取付部５が衣服４の両横腹部に対応する裏側地に設けられ、当該被取付部５に授乳用ストラップ１の取付部が取付けられてなる。
【００２９】
本実施の形態における被取付部５の位置としては特に限定されず、衣服４のいずれの場所に設けてもよい。たとえば衣服４の両肩部、両横腹部または前腹部のいずれかの部位に対応する裏側地に設けることができる。このように被取付部５の位置を衣服４の種類に合わせて変更すれば、種々の衣服の形状に合わせて授乳用ストラップ１を取付けることができる。取付けられたストラップ付衣服７の有する効果としては上述のとおりである。
【００３０】
（実施の形態５）
＜ストラップ付衣服＞
図８〜図１１により、ストラップ付衣服８およびストラップ付衣服９のそれぞれの使用方法（授乳用ストラップ１を用いた授乳口の確保の方法）を説明する。以下の説明では、いわゆるレイヤードタイプやセンタースリット対応の授乳用衣服に被取付部５を設け、授乳用ストラップ１を取付けた場合を例示しているが、かかる授乳用衣服の形状に限定されるものではなく、上述したとおり、衣服４として通常の衣服を使用して被取付部５を設けても同様の効果が得られる。
【００３１】
図８および図９には、いわゆるレイヤードタイプの衣服４に授乳用ストラップ１を取付けた場合を例示している。図８および図９に示されるように、衣服４の両肩部に対応する裏側地には、授乳用ストラップ１が設けられている。授乳時以外のときは、衣服４の内側部４ａは、外側部４ｂに収納されており、一見して授乳用の衣服とは判別できない。そして、授乳口を確保する際には、衣服４の内側部４ａをたくしあげて授乳口を確保することができる。
【００３２】
図１０および図１１には、いわゆるセンタースリットタイプの衣服４に授乳用ストラップ１を取付けた場合を例示している。図１０および図１１に示されるように、衣服４の両肩部に対応する裏側地に授乳用ストラップ１が設けられている。授乳口を確保する際には、内側部４ａを横にずらし、かつ、外側部４ｂに設けられたスリットの間から授乳用ストラップ１を取り出して首に掛けることにより授乳口を確保することができる。
【産業上の利用可能性】
【００３３】
本発明の授乳用ストラップ、該授乳用ストラップと対応する衣服ならびに上記授乳用ストラップと上記衣服とを有するストラップ付衣服は、授乳時に衣服と一体的に使用することにより授乳口を容易に確保できるため、産後の授乳期に使用する衣服などの分野などにおいて好適に用いることが可能である。
【符号の説明】
【００３４】
１  授乳用ストラップ
２  取付部
３  弾性部材
４  衣服
４ａ  内側部
４ｂ  外側部
５  被取付部
６、７、８、９  ストラップ付衣服
１０  従来の授乳用ストラップ
【図１】
2012143403.tif 000003
【図２】
2012143403.tif 000004
【図３】
2012143403.tif 000005
【図４】
2012143403.tif 000006
【図５】
2012143403.tif 000007
【図６】
2012143403.tif 000008
【図７】
2012143403.tif 000009
【図８】
2012143403.tif 000010
【図９】
2012143403.tif 000011
【図１０】
2012143403.tif 000012
【図１１】
2012143403.tif 000013
【図１２】
2012143403.tif 000014
【図１３】
2012143403.tif 000015
【図１４】
2012143403.tif 000016